(57)【要約】【課題】記録から原稿読取へと処理を移行する際にも記録ヘッドの起動が必要となるインクジェット方式のファクシミリ装置において、記録ヘッドの回復処理に伴うインクの消費量を抑えつつも必要な回復処理は実行することを目的とする。【解決手段】記録ヘッド６５の回復処理が実行されるとタイマーによる計時を開始する。前回の回復処理の実行時から所定時間後に記録ヘッド６５が起動された場合に、それが記録処理のための起動であれば回復処理を実行し、読取処理のための起動であれば回復処理を保留する。この保留回数が所定回数を超えた場合には読取処理のための起動であっても回復処理を実行する。【選択図】  図１
2004209820.tif 000002
【特許請求の範囲】
【請求項１】
原稿の読取処理と画像の記録処理とを実行する画像読取記録装置であって、
前記記録処理への移行の際と前記読取処理への移行の際に起動される記録ヘッドと、
前記記録ヘッドの記録性能を維持するための維持処理を前回実行した時から所定時間が経過した後に、前記記録ヘッドが前記記録処理の実行のために起動された場合には前記維持処理を実行し、一方、前記読取処理のために前記記録ヘッドが起動された場合には維持処理を保留する維持手段と
を含むことを特徴とする画象読取記録装置。
【請求項２】
前記維持手段は、前記維持処理が少なくとも一度保留されているときに、前記記録ヘッドが記録処理の実行のために起動された場合には前記維持処理を実行することを特徴とする請求項１に記載の画像読取記録装置。
【請求項３】
前記維持処理の連続保留回数をカウントするカウンタをさらに備え、該連続保留回数が所定回数を超えた場合に、前記維持手段は前記維持処理を実行することを特徴とする請求項１又は請求項２に記載の画像読取記録装置。
【請求項４】
原稿の搬送経路と記録紙の搬送経路とが一部の経路で共有される画像読取記録装置であって、
任意の処理から読取処理又は記録処理へと移行する際に起動される画像記録用の記録ヘッドと、
前記記録ヘッドから記録用インクを吸引、吐出又は掃引させて該記録ヘッドの回復処理を実行する回復手段と、
前記回復手段による前記回復処理の実行から前記記録ヘッドが起動されるまでの経過時間を計時する計時手段と、
前記経過時間が所定時間を超えているか否かを判定する判定手段と、
前記経過時間が所定時間を超えていると判定された場合であっても、前記読取処理のために前記記録ヘッドが起動された場合には前記回復手段による回復処理を保留させる回復制御手段と
を含む画象読取記録装置。
【請求項５】
前記回復制御手段は、前記回復処理が所定回数以上保留されている場合に前記記録ヘッドが起動されると、前記回復手段に回復処理を実行させることを特徴とする請求項４に記載の画像読取記録装置。
【請求項６】
原稿の読取処理と画像の記録処理とを実行する画像読取記録装置であって、
少なくとも前記記録処理への移行の際と前記読取処理への移行の際に起動される記録ヘッドと、
前記記録ヘッドからインクを吸引、吐出又は掃引させて回復処理を実行する回復手段と、
前記回復処理の前回の実行時からの経過時間を計時する計時手段と、
前記記録ヘッドが記録処理の実行のために起動されたときは、前記経過時間がすでに第１の時間を超えていることを条件として前記回復手段を動作させ、一方、原稿読取処理のために前記記録ヘッドが起動されたときは、前記経過時間がすでに第１の時間よりも長い第２の時間を超えていることを条件として前記回復手段を動作させる回復制御手段と
を備えることを特徴とする画像読取記録装置。
【請求項７】
原稿の読取処理と画像の記録処理とを実行する画像読取記録装置であって、
前記記録処理への移行の際と前記読取処理への移行の際に起動される記録ヘッドと、
前記記録ヘッドの記録性能を維持するための維持処理を実行する維持手段と、前回の維持処理から所定時間経過後に前記記録ヘッドが起動時されると新たな維持処理を実行する通常モードと、前記所定時間経過後であっても前記記録ヘッドが前記読取処理のために起動されたときには維持処理を少なくとも一度はスキップする節約モードとを有し、選択されたモードに従って前記維持処理の実行を制御する制御手段と
を備えたことを特徴とする画像読取記録装置。
【請求項８】
画像読取記録装置に備えられたインクジェット用記録ヘッドの記録性能維持方法であって、
記録処理への移行の際と読取処理への移行の際に前記記録ヘッドを起動するステップと、
前記記録ヘッドの記録性能を維持するための維持処理を前回実行した時から所定時間が経過した後に、前記記録ヘッドが前記記録処理の実行のために起動された場合には前記維持処理を実行し、一方前記読取処理のために前記記録ヘッドが起動された場合には維持処理を保留するステップと
を含むことを特徴とする記録性能維持方法。
【請求項９】
前記維持処理が少なくとも一度保留されているときに前記記録ヘッドが記録処理の実行のために起動された場合には前記維持処理を実行するステップをさらに含むことを特徴とする請求項８に記載の記録性能維持方法。
【請求項１０】
前記維持処理の連続保留回数をカウントするステップをさらに備え、前記連続保留回数が所定回数を超えた場合に前記維持処理を実行するステップをさらに含むことを特徴とする請求項８又は請求項９に記載の記録性能維持方法。
【請求項１１】
任意の処理から読取処理又は記録処理へと移行する際に起動されるインクジェット用記録ヘッドの回復制御方法であって、
前記記録ヘッドからインクを吸引、又は吐出又は掃引させて該記録ヘッドを回復させる回復処理に関し、前回の回復処理の実行からの経過時間を計時するステップと、
前記記録ヘッドが再び起動されたときに前記経過時間が所定時間を超えているか否かを判定するステップと、
前記経過時間が所定時間を超えていると判定された場合であっても、前記読取処理のために前記記録ヘッドが起動された場合には前記回復処理を保留させるステップと
を含むことを特徴とする記録ヘッドの回復制御方法。
【請求項１２】
前記回復処理が所定回数以上保留されている場合に前記記録ヘッドが起動されると、前記回復手段に回復処理を実行させるステップをさらに含むことを特徴とする請求項１１に記載の記録ヘッドの回復制御方法。
【請求項１３】
少なくとも記録処理への移行の際と読取処理への移行の際に起動されるインクジェット用記録ヘッドについて、インクを吸引、吐出又は掃引させて該記録ヘッドを回復させる記録ヘッドの回復制御方法であって、
前記回復処理の前回の実行時からの経過時間を計時するステップと、
前記記録ヘッドが記録処理の実行のために起動されたときは、前記経過時間がすでに第１の時間を超えていることを条件として前記回復処理を実行させ、一方、原稿読取処理のために前記記録ヘッドが起動されたときは、前記経過時間がすでに第１の時間よりも長い第２の時間を超えていることを条件として前記回復処理を実行させるステップと
を備えることを特徴とする記録ヘッドの回復制御方法。
【請求項１４】
記録処理への移行の際と読取処理への移行の際に起動されるインクジェット用記録ヘッドの記録性能を維持するための記録性能維持方法であって、
前回の維持処理から所定時間経過後に前記記録ヘッドが起動時されると新たな維持処理を実行する通常モードと、前記所定時間経過後であっても前記記録ヘッドが前記読取処理のために起動されたときには維持処理を少なくとも一度はスキップする節約モードとの何れか１つを選択するステップと、
前記選択されたモードに従って回復処理を実行するステップと、
を備えたことを特徴とする記録性能維持方法。
【請求項１５】
原稿の読取処理と画像の記録処理とを実行する画像読取記録装置であって、
前記記録処理への移行の際と前記読取処理への移行の際に起動される記録ヘッドと、
前記起動された記録ヘッドの移動によって前記原稿の読取処理と前記画像記録処理とを相互に切り替える切り替え手段と、
前記起動された記録ヘッドの記録性能を維持するための維持処理を実行する維持手段と、
前記記録ヘッドが読み取り処理のために起動された場合は、前記維持手段による維持処理の実行を禁止する禁止制御手段と、
を含むことを特徴とする画象読取記録装置。
【請求項１６】
インクジェット用記録ヘッドの回復制御方法であって、
任意の処理から読取処理又は記録処理へと移行する際に前記インクジェット用記録ヘッドを起動するステップと、
前記起動されたインクジェット用記録ヘッドの移動によって前記任意の処理から前記読取処理又は前記記録処理へと切り替えるステップと、
前記インクジェット用記録ヘッドが読み取り処理のために起動された場合は前記インクジェット用記録ヘッドの回復処理の実行を禁止するステップと、
を含むことを特徴とする回復制御方法。
【請求項１７】
請求項８乃至請求項１４及び請求項１６の何れか１つに記載された方法を画像読取記録装置において実行するためのファームウエア。
【発明の詳細な説明】
【０００１】
【発明の属する技術分野】
本発明は、画像読取記録装置に係り、とりわけ画像記録部にインクジェット方式を採用したファクシミリ装置等に関するものである。
【０００２】
【従来の技術】
従来のインクジェット方式のファクシミリ装置は、原稿系の搬送手段と記録系の搬送手段を別個に備えていた。近年になりファクシミリ装置のコストダウン、小型化の要求が一層求められるようになってきている。
【０００３】
これを解決すべく本発明の関連技術では、記録紙搬送に用いている搬送機構（例えば搬送ローラなど）を原稿搬送機構と共有することで上記課題を解決している。具体的に、この関連技術では、記録処理時には記録紙搬送機構として共有の搬送機構を動作させ、一方で、原稿の読取処理時には原稿搬送機構として共有の搬送機構を動作させるように制御している。
【０００４】
このように搬送機構を共有化することで、新たに読取処理と記録処理とを機械的に切り替える必要性が生じる。関連技術では、この切り替えを行なうための機械的スイッチが記録ヘッドの動作範囲の左端に位置し、一方、動作範囲の右端には記録ヘッドのホームポジションが位置している。通常、記録ヘッドはこのホームポジションに待機しているが、読取処理と記録処理とを相互に切り替えるためには、ホームポジションから離れ、左端まで移動して機械的切替スイッチを操作しなければならない。
【０００５】
ところで、一般に、インクジェット方式のプリンタにおいてはインク吐出用のノズルの目詰まりや気泡の発生を防止すべく、種々の回復機構が採用されている。上述の関連技術でもインクジェット記録方式を採用することを前提としているため、この回復機構が必要となる。関連技術では回復機構がホームポジションに設けられている。ホームポジションは別名キャッピングポジションと呼ばれる。その理由は、記録ヘッドがホームポジションに位置するときは、記録ヘッド内のインクの固化を防止すべく、記録ヘッドにキャップを被せるようにしているからである。
【０００６】
上述の関連技術は、ファクシミリ装置であり、常時電源が投入されているため、電源投入時だけに回復処理を実行するだけでは、インクの目詰まり等を十分に防止できない。従って、電源投入時以外のタイミングでも回復処理を行なわなければならない。例えば、キャップがはずされる時は常に回復処理を実行するが如くである。
【０００７】
【発明が解決しようとする課題】
しかしながら、原稿搬送時にまで記録ヘッドを駆動してしまうと、本来、印字処理を実行しないにもかかわらず、記録ヘッドの回復のためにノズル内のインクが外部に吐出又は吸引されてしまう。そのため、印字以外の目的でインクが大量に消費されるという課題があった。
【０００８】
本発明ではこのような構成の装置において、インクの消費量を抑えつつも必要な回復処理は実行することを目的とする。
【０００９】
【課題を解決するための手段】
例えば、本発明では、記録処理のために記録ヘッドが起動されたときには回復処理を実行するが、一方で原稿読取処理のために記録ヘッドが起動されたときには少なくとも一度は回復処理を保留するようにして上記課題を解決する。もちろん、原稿読取処理のために記録ヘッドが起動されたときは、回復処理の実行を完全に禁止してもよい。
【００１０】
【発明の実施の形態】
【実施形態１】
本発明の好適な実施の形態を例示的に詳しく説明する。まず、本実施形態にかかる画像読取記録装置について機械的な構成を説明する。画像読取記録装置は、記録媒体としての記録紙に画像を記録する記録機能と、被読取媒体としての原稿の画像を読み取る読取機能を有し、記録紙と原稿の略近傍の搬送路内に前記記録機能を有する記録部と読取機能を有する読取部とを備えている。換言すると、原稿の搬送経路と記録紙の搬送経路とが記録部及び読取部の周囲において共有されており、より例示的には、原稿と記録紙とが同一の搬送路を通過することを意味する。なお、画像読取記録装置の一例としては、ファクシミリ装置や複合機などがある。
【００１１】
次に、図１乃至図９を用いて、本実施形態に係る画象読取記録装置についての各機構を説明する。図１は記録処理時における本実施形態に係る装置の断面図である。図２は記録処理時における本実施形態に係る装置の斜視図である。
【００１２】
図１において装置後方（図１の右側）には記録紙束２を積載し、必用に応じて記録紙束２から１枚ずつ記録紙を分離し、分離された記録紙を記録部３８へと給紙するための記録紙給紙部（ＡＳＦ）３９と、原稿１２を積載し、１枚ずつ原稿１２を分離し、分離された原稿１２を読取部２８へと給紙するための原稿給紙部（ＡＤＦ）４０とが配設されている。
【００１３】
図３は、原稿読取処理時における本装置の断面図を示している。一方、図４は、原稿読取処理時における本装置の斜視図を示している。図１と図３を比較してみるとわかるように、読取部２８は、その下部に設けられた軸を中心に回動可能となっており、原稿の読取処理時には時計方向へと回動して原稿読取位置へと移動し、一方、記録処理時には、反時計方向へと回動して退避位置へと移動するように構成されている。
【００１４】
図５は記録給紙部および原稿給紙部についての斜視図である。まず図１および図５を用いて記録給紙部３９について説明する。記録紙給紙ローラ１９は、軸部４１とローラ部４２などから構成されている。軸部４１はプラスチック等で成型されている。軸部４１には軸部４１より大径に形成された摩擦弾性体からなるローラ部４２が形成されている。軸部４１の両端部はベース部材３５の側板３５ａ、３５ｂに軸支されている。側板３５ｂ側の一端は図示しない駆動伝達手段を経て搬送モータに連結されている。また圧板９は記録紙給紙ローラ１９とベース部材３５との間に位置し、かつベース部材３５の側板３５ａ、３５ｂに回動自在に軸支されている。記録紙給紙ローラ１９が回転すると、記録紙給紙ローラ１９に一体に形成されたカムによって、ローラ部４２の外周面に圧板９が接触、離反するように構成されている。また、ベース部材３５に一体に形成された円筒状の凹部４５には圧板バネ３４（弾性部材）が配設され、圧板９を記録紙給紙ローラ１９側に付勢している。
【００１５】
次に記録紙給紙動作について説明する。図１に記載されている矢印Ａは記録紙搬送経路を示している。ローラ部４２の断面は、円弧４７と略直線状の弦部４８が組み合わされた半月状になっている。記録紙積載状態において、弦部４８と圧板９とは略平行で、かつ記録紙束２がセットできるように一定の間隔を持って位置している。搬送モータの駆動によって給紙ローラ１９が時計方向に回転すると、カムによってローラ部４２は圧板９へと接触するようになっている。これにより、圧板９に積載されている記録紙束２の最上部の記録紙表面とローラ部４２とが接触する。その際に、圧板バネ３４によって記録紙束はローラ部４２に対して付勢されている。さらに記録紙給紙ローラ１９が回転すると、記録紙の片側先端に配置されてストッパとして機能している爪７７を、記録紙束２の最上部の用紙だけがのり越えて、後述する用紙搬送部４９へと搬送される。
【００１６】
次に原稿給紙部４０について詳しく説明する。記録紙給紙ローラ１９と記録束２の間には、下原稿ガイド２３が存在する。下原稿ガイド２３は、占有する空間を小さくし、かつ所定の強度を得るために金属等の板で形成されることが好ましい。下原稿ガイド２３はベース部材３５の両側板３５ａ、３５ｂに固定されている。下原稿ガイド２３の取り付け位置は、次の条件を満たすようにされている。すなわち、（１）回転停止位置にある記録紙給紙ローラ１９が記録紙積載状態にあるときに、弦部４８と下原稿ガイド２３の上面との間に原稿が通過することができる程度の隙間があること、（２）最大量の記録紙束２をセットした状態でも記録紙束２の最上部の紙と下原稿ガイド２３の下面とが接触しない程度の隙間があること、及び（３）記録紙の給紙状態において記録紙給紙ローラ１９が回転したときに円弧部４７が下原稿ガイド２３に成形された切り欠き部５０から下原稿ガイド２３の下面へと突出し記録紙束２の最上部の記録紙に当接することである。これらの条件は、原稿の搬送経路と記録紙の搬送経路とをいわゆるワンパスにて行なう際に必要となる条件ともいえる。
【００１７】
原稿給紙ローラ１５は、金属で成形された軸部７８に円筒状の摩擦弾性部材７９を取り付けられて成形されている。この原稿給紙ローラ１５は、ベース部材３５の側板３５ａ、３５ｂに回転自在に軸支されている。側板３５ａ側に位置する軸７８の一端は、図２に示されている読取駆動伝達手段５１および駆動切替手段５２を介して搬送モータに連結されている。
【００１８】
分離パット１３は、分離パット支持部材３７によって下原稿ガイド２３へと軸支されている。分離パッド１３は、図示しない弾性部材によって、原稿給紙ローラ１５の外周面に対して付勢されている。分離パット１３の両脇には予備分離アーム２７が取り付けられている。予備分離アーム２７は、分離パット支持部材３７の支点と同軸上に軸支されている。分離パット１３と原稿給紙ローラ１５との当接位置よりも上流側において、予備分離アーム２７は原稿給紙ローラ１５の外周面に付勢されている。
【００１９】
下原稿ガイド２３には原稿１２を支持するための原稿トレイ１１が着脱可能に取り付けられている。上原稿ガイド１４は短冊状に成型されている。また、上原稿ガイド１４の搬送上流側は、原稿給紙ローラ１５の軸部７８に軸支されている。その搬送下流側は、原稿によって押された時に記録紙給紙ローラ１９の軸部４１と上原稿ガイド１４の裏面が当接するようになっている。当接状態においては、上原稿ガイド１４のガイド面がローラ部４２より下側に飛出すように構成されている。この様に構成したのは、原稿１２が記録紙給紙ローラ１９のローラ部４２に接触し搬送不良になるのを防止するためである。
【００２０】
次に原稿給紙動作について説明する。原稿１２は原稿給紙ローラ１５と分離パット１３で形成されるくさび状空間８０にその先端が収まるようにセットされる。図１において、原稿給紙ローラ１５は搬送モータの駆動力によって時計回りに回転し、セットされた原稿の最上部より１枚ずつ原稿１２を分離し搬送していく。分離された原稿は下原稿ガイド２３と上原稿ガイド１４で形成される原稿搬送パスを通って後述する用紙搬送部４９に送られる。
【００２１】
次に記録紙給紙部３９と原稿給紙部４０の相対的な位置関係について説明する。記録紙給紙ローラ１９と原稿搬送ローラ１５は図１に示す断面方向から見ると記録紙給紙ローラの上流側と原稿搬送ローラの下流側がオーバーラップするように配置されている。一方、紙の幅方向においては図５に示すように、オーバーラップを避けるために、２つのローラ部４２の間に原稿搬送ローラ１５のローラ部５３が収まるように配置されている。
【００２２】
用紙搬送部４９は、記録紙搬送路７５の下側の支持面として機能するプラテン３と、記録紙の下側の支持面として機能する補助プラテン部材３ａと、プラテン３に軸支された搬送ローラ１０と、搬送ローラ１０に当接し紙幅方向に併設された４つのピンチローラ１６と、搬送ローラ１０に対してピンチローラ１６を圧接するために当該ピンチローラ１６を軸支するピンチローラガイド３６と、プラスチック等とエラストマー等を一体成型した排紙ローラ１７と、該排紙ローラ１７に当接する複数の拍車１８と、該拍車１８を排紙ローラ１７に圧接するように軸支する拍車ホルダ５５とで構成される。
【００２３】
プラテン３の記録紙支持面５３には紙幅方向に複数のリブ５６が形成されていおり、記録紙搬送の際にはこのリブ５６の上面を記録紙が通過するようになっている。補助プラテン部材３ａは、用紙搬送方向上流側においてその両側面に形成された軸をプラテン３に形成された支持部で軸支されている。補助プラテン部材３ａは、裏面をバネ５８で付勢されている。これは、プラテン３の記録紙支持面５３と補助プラテン部材の記録紙支持面５７が同一平面になるようにするためである。なお、バネ５８の付勢力を超えて上部より押された場合、補助プラテン部材３ａは、プラテン３の記録紙支持面５３に対して数ミリ程度沈み込むようになっている。
【００２４】
搬送ローラ１０とピンチローラ１６による搬送方向は、ローラ上流側から下流側に向けて斜め下方向に設定されている。また排紙ローラ１７と拍車１８による搬送方向はローラ上流側から下流側に向けて斜め上方向に設定されている。これにより用紙搬送手段４９によって搬送される用紙はプラテンの用紙支持面５３に当接しながら搬送される。
【００２５】
次に記録部について説明する。本装置は記録手段としてインクジェット記録装置を搭載しているものとする。インクジェット記録装置はインクタンクに充填されたインクをインクヘッドに形成されたノズルから記録紙に吐出して所望のデータを記録する装置である。本実施形態のインクヘッドは記録紙搬送方向に６４個のノズルが１／３６０ｉｎｃｈピッチで１列に並んだノズル列を備えている。このインクヘッドを記録紙の幅方向に走査させることで、効率的に記録を行なうものである。
【００２６】
図６は記録処理を実行している際の本実施形態に係る装置の斜視図である。図においてインクタンクとインクヘッドはインクカートリッジ１に搭載されている。インクカートリッジ１はキャリッジ４に着脱可能に取り付けられている。キャリッジ４はシャーシ２４の上部をコの字に曲げて形成されたガイドレール７と、シャーシの両側版に支持されたガイドシャフト６０とによりガイドされ、記録紙の幅方向に移動可能に支持されている。
キャリッジ４の一端は、シャーシ２４に取り付けられたキャリッジモータ３３のピニオンギア６２に係合している。キャリッジ４の他端は、シャーシに取り付けられたプーリによってテンションを有して支持されたキャリッジベルト６３に固定されており、キャリッジモータ３３によって駆動される。
【００２７】
回復ユニット６４は、キャリッジの移動範囲の右端（キャッピングポジション）に位置し、インクカートリッジ１のインクヘッド部６５に対向するよう固定されている。さらに、回復ユニット６４には、インクを吸引するポンプ機能と、ノズル面を清掃するワイパー機能と、待機時にノズルの乾燥を防止するためのノズルキャップ機能とが備わっている。また、インクカートリッジ１は、記録状態以外ではノズルキャップ機能でキャップするためにキャッピングポジションに停止している。
【００２８】
図７は、インクカートリッジの着脱を示した図である。インクタンクのインクが無くなった場合に、インクカートリッジ１をキャッピングポジションへと移動させ、その後、インクカートリッジ１を手前側に引っ張ることにより取り外すことができる。
次に図３及び図４を参照して読取部２８について説明する。読取部２８は、コンタクトイメージセンサ（ＣＳ）２２と、ＣＳホルダ２６と、白基準２５とを備えている。ＣＳ２２はセンサ面６６が外側になるよう、ＣＳホルダ２６に成形された凹部に収容されて、ネジ（締結部材）で固定されている。
【００２９】
ＣＳ２２には読み取りライン２２ａがある。読み取りライン２２ａは図３の奥行き方向に向けて直線的に配置されている。読み取りライン２２ａの対向部には、前述の補助プラテン部材３ａがある。
【００３０】
１ａはカートリッジ１の画像形成幅を示している。すなわち、カートリッジ１が移動しながらインクを吐出すると１ａの幅の画像を形成できる。画像形成幅１ａは、読み取りライン２２ａに対して用紙搬送方向の上流側に配置されている。ＣＳ２２は、読取処理の実行時において、搬送方向下流から上流に向けて次第にプラテン３から離れるように傾斜している。
【００３１】
ＣＳホルダ２６には白基準２５が取り付けられている。白基準板２５は、白色のシートを金属板に取り付けて形成されている。金属板は白色シートを取り付けるための平面部と、長手方向端部を折り曲げて形成された側板とで構成さている。さらに白基準２５には入り口部２５ａが図３のごとく形成されている。原稿１２が読み取り状態ではＣＳ２２と白地２５ａの間に案内されるように形成されている。金属板の側板には穴が形成されている。該穴にＣＳホルダに形成された軸を嵌合させることで、白基準２５をＣＳホルダ２６およびＣＳ２２に対して回転可能に支持している。また、ねじりコイルバネ等により白基準２５をＣＳ２２に対して付勢している。
【００３２】
図８は、第１のポジションに位置する白基準２５を例示した図である。図９は、第２のポジションに位置する白基準２５を例示した図である。第１のポジションでは、白基準２５はＣＳ２２に対して付勢されている。さらに、ＣＳ２２のセンサ面６６と白基準２５との間には、少なくとも１枚の原稿が通過できるような隙間が形成されている。この隙間が原稿搬送路となる。
【００３３】
一方、第２のポジションは、ねじりコイルバネに抗して白基準２５をＣＳ２２対して離反する方向に回転させた時の位置である。この第２のポジションは清掃ポジションと呼ぶこともできる。なぜなら、記録部３８からのインクによって白基準２５の白色シートあるいはＣＳ２２の読取面が汚れた場合に、ユーザー等が白基準２５を第２のポジションにすることで、汚れた部分を清掃できるからである。
【００３４】
ＣＳホルダ２６の長手方向における右側面には中空のボスが形成されている。プラテン３に取り付けられたＣＳホルダ支持部材６８（図２）にはボスが成形されている。両者は係合するようになっている。また左側面にもボスが成形されており、プラテン３に成形された軸受部６９（図２）に係合している。この左右の係合部は同軸上にある。これにより、ＣＳホルダ２６は、図１および図２に示す待機位置から図３および図４に示す読取位置へと、回動できるようになっている。
【００３５】
待機位置は、図１及び図２に示されている読取部２８の位置である。具体的には、インクカートリッジ１が記録処理時にキャリッジ４の移動範囲内を移動したときに読取部２８に接触しないような位置であって用紙搬送路から離れた位置である。また読取位置は、図３及び図４に示されている読取部２８の位置である。すなわち、キャリッジ４の移動空間内であって、原稿読取搬送路７０と用紙搬送路７５とが一致するようになるまで、読取部２８を図１の時計方向に回転させた位置である。原稿読取搬送路７０は、ＣＳ２２の読取面と白基準２５との隙間で形成された搬送路である。
【００３６】
インクカートリッジ１がキャッピングポジションに位置しているときに、読取部２８は、読取位置へと移動できるよう、ＣＳホルダ２６の左右方向の位置が設計されている。
【００３７】
白基準２５の金属板の用紙搬送方向上流側は、くし歯形状になっている。くし歯７２の歯と歯の間にはプラテン３のリブ５６が入るようになっている。また白基準２５の金属板の用紙搬送方向下流側には、長手方向の強度を強くするための曲げ部７６が形成されている。曲げ部７６は、回転可能に支持された補助プラテン部材３ａを押し下げ、読取位置を形成するようになっている。
【００３８】
ＣＳホルダ２６の紙幅方向左側には、駆動切替手段５２と、ＣＳ駆動伝達手段７３を介して搬送モータに連結されたＣＳ駆動手段７４とが配置されている。駆動切替手段５２は機械的なスイッチであり、インクカートリッジ１が左端まで移動して接触することにより切り替えられるような構造となっている。従って、原稿読取処理と記録処理とを相互に切り替える際には、必ず、インクカートリッジ１が起動されて、左端まで移動することになる。このようにして切替処理が実行されると、搬送モータによってＣＳ駆動手段７４を駆動し、ＣＳホルダ２６を回転させ待機位置と読取位置との間を移動させる。
【００３９】
次に読取時の動作について説明する。ＣＳホルダ２６は装置のスタンバイ状態において不図示のねじりコイルバネ（弾性部材）によって待機位置に保持されるように付勢されている。原稿がセットされた状態で読取動作が開始されると、まず駆動切替手段５２によって搬送モータの駆動を読取モードに切り替える。そして、読取駆動伝達手段を介して原稿給紙ローラを回転させ、原稿給紙動作を開始する。その一方で、ＣＳ駆動伝達手段７３を介してＣＳ駆動手段７４を作動させＣＳホルダ２６の移動を開始する。
【００４０】
原稿１２が原稿給紙ローラによって搬送ローラとピンチローラに噛み込まれると同時にＣＳホルダ２６は読取位置へと移動する。ＣＳホルダ２６が読取位置に移動すると、ＣＳ駆動手段７４とＣＳ駆動伝達手段７３を連結しているクラッチが外れる。搬送ローラ１０に到達した原稿１２は搬送ローラ１によって読取搬送路７０へと搬送される。原稿１２は、白基準２５によりセンサ面６６に密着された状態で、データを順次読み取られる。原稿１２の最後端が読み取られ、排紙ローラ１７により原稿１２が装置外に排出されると、搬送モータが逆転し、ＣＳ駆動手段７４とＣＳ駆動伝達手段７３がクラッチにより連結され、ＣＳホルダ２６を待機位置へと移動させ、読取駆動切替手段５２を解除する。
【００４１】
次に、ファクシミリ装置の電気的構成を説明する。図１０は、本発明の実施形態に係るファクシミリ装置１００のブロック図である。
【００４２】
図１０において、ファクシミリ本体１００は、制御部１０１と、ＲＯＭ１０２と、ＤＲＡＭ１０３と、ＳＲＡＭ１０４と、画像読取部１０５と、ファクシミリ送受信部１０７と、記録部１０８と、画像符号復号部１０９と、操作部１１０と、電源供給部１１１とを有する。
【００４３】
制御部１０１は、ファクシミリ装置全体を制御し、システムバス１１２を介してファクシミリ装置全体を制御するマイクロプロセッサユニット（ＭＰＵ）であり、システムバスは、データ信号線、アドレス線からなる。
【００４４】
ＲＯＭ１０２は、ＭＰＵが動作するためのインストラクション群等のプログラムコード、オペレーティングシステム（ＯＳ）のプログラムコード、初期値データ、テーブルデータ等を格納しているメモリである。
【００４５】
ＤＲＡＭ１０３は、画像バッファ、画像メモリ及び各種動作のワークエリア等に使用される。さらに、ＤＲＡＭ１０３は、ファクシミリ送受信部１０５との間で送受信する際の画像データを一時的に保持するバッファとしても機能し、また、ファクシミリ送受信部１０５を介して受信された画像データや、画像読取部１０２により読み取られた画像データをファイルとして蓄積するためのメモリとしても機能する。
【００４６】
ＳＲＡＭ１０４は、ユーザーデータを登録する登録エリアや、ワークエリア等として使用される。このＳＲＡＭ１０４はバッテリーバックアップによって、ファクシミリ本体１００の電源オフ時にもデータは保持されるようになっている。
【００４７】
画像読取部１０５は、コンタクトセンサ（ＣＳ）２２と、読取駆動部１０５１と、この読み取られた信号にシェーディング補正等を施す画像補正部１０５２と、補正された信号に対して２値化処理および中間調処理等の画像処理を施して高精細な画像データを出力する読取画像処理部１０５３とを備えている。
【００４８】
記録部１０８は、記録ヘッド６５と、記録ユニット６４と、タイマー１０８１と、記録制御部１０８２等によって構成されている。この記録部１０８は、記録画像処理部１０６に接続されている。
【００４９】
記録部１０８は、インクジェット方式を用いたプリンタであり、記録手段としてインクタンクを内蔵した一体型のインクカートリッジ１を用いている。このインクカートリッジ１はインクヘッド部６５から記録解像度３６０ｄｐｉ（ｄｏｔｓ  ｐｅｒ  ｉｎｃｈ）でインクの吐出を行なう。このインクカートリッジ１はキャリッジ４に保持されながら、記録紙の搬送方向（副走査方向）とは直交する方向（主走査方向）に往復運動する。キャリッジ４の往復運動は、モータによって駆動されるプーリおよびタイミングベルトによって行われる。この際に記録ヘッドに与えられる記録信号や電力は、キャリッジと電気基板を接続しているフレキシブルケーブルによって電気回路より供給されている。
【００５０】
記録ヘッド６５とフレキシブルケーブルとは互いの接点を圧接して接続されており、インクカートリッジ１に備えられた特定接点間の開放／接続を検出することでインクカートリッジ１が装着されているかどうかを認識可能な構成となっている。
【００５１】
回復ユニット６４にはインクカートリッジ１の未使用時に記録ヘッド６５の吐出面を覆うキャップが設けられている。このキャップにより、インクカートリッジ１の記録ヘッド６５の吐出面をゴミや埃から保護する。このキャップと連通するようにピストンが設けられている。このピストンをモータで駆動させるとキャップ内に負圧が発生し、記録ヘッド６５の吐出口内に残存するインクを吸引することができる。このように記録ヘッド６５のノズルの目詰まりを除去したり、印字のために記録ヘッドに加えられた熱エネルギーによって記録ヘッドのインク液室内に発生した気泡を除去したりすることができる。
【００５２】
このピストンにはピストンの動きに連動して動作する部材が設けられており、キャリッジ４に備えられているフォトインタラプタの光軸をこの部材が遮光することによって、ピストンがシリンダー内部であらかじめ決められた位置（ピストンのイニシャル位置）にいることを検出できるような構成になっている。
【００５３】
このインクカートリッジ１の吸引が実行されると、記録部１０８に設けられタイマー１０８１が計時を開始する。これにより、前回の吸引動作からある一定時間経過した場合、再び吸引動作を行なうという制御が可能になる。
【００５４】
記録画像処理部１０６は、ファクシミリ受信した画像データを記録部１０８で出力する場合に、受信した画像データをプリンタの主走査解像度３６０ｄｐｉ（ｄｏｔｓ  ｐｅｒ  ｉｎｃｈ）の生画像データに変換するための解像度変換処理、スムージング処理及び濃度補正処理等の各種画像処理を施すことで、高精細画像データを生成する。
【００５５】
ファクシミリ送受信部１０７は、ＮＣＵ（網制御装置）等の通信接続部１０７１、モデム（変復調装置）等の通信制御部１０７２によって構成される。これらにより、ＰＳＴＮ回線の通信網に接続され、Ｇ３プロトコルに従って通信制御、通信回線に対する発呼、着呼等の回線制御を行なう。さらにファクシミリ送受信部には電話機を接続し、通話やＤＴＭＦリモート制御などを行なうことも可能である。
【００５６】
電源供給部１１１は、本ファクシミリ装置１００に電源を供給する電源である。操作部１１０は、ダイヤルするときのデータを登録、設定するときなどに用いるテンキー、各種機能を利用するためのファンクションキー、電話番号等を登録しておきワンタッチでダイヤルするためなどに用いるワンタッチキー、送信やコピー、受信を始めるときに用いるスタートキー、送信や登録、設定などの動作を中止するときに用いるストップキー等の各種キースイッチ１１０１と、通信状況の確認や、データの登録／設定／確認メッセージなど各種メッセージの表示を行なうＬＣＤ、各種エラー発生時に点灯するＬＥＤランプなどの表示装置１１０２により構成されている。これらによりユーザーはファクシミリ装置１００の動作指示および各種情報の入力や、装置の状態、発呼する相手の電話番号、時刻情報、操作手順等の表示を行なうことができる。
【００５７】
図１１は、本実施形態に係るファクシミリ装置の動作に関するフローチャートである。
【００５８】
ステップＳ１１０１において、制御部１０１は、インクカートリッジ１に起動がかけられたかどうか、すなわち記録モードが呼び出されたかどうかを判定する。ファクシミリ装置１００の制御プログラムには記録モードと読取モードとが備えられている。記録モードとは、ファクシミリ受信記録または読み取った原稿のコピー動作を制御するモードである。読取モードとは、ファクシミリ送信またはコピー動作を制御するモードである。ファクシミリ送信またはコピー動作は、ＤＳ（ドキュメントセンサ）により原稿が検出されている場合に、ユーザーが操作部１１０を操作することにより実行される。ステップＳ１１０１において、記録モードであると判定されると、ステップＳ１１０２へ移行する。
【００５９】
ステップＳ１１０２において、制御部１０１は記録部１０８のタイマー１０８１のカウント値を読み出し、カウント値が所定時間（例：７２時間など）を超えているかどうかを判定する。このタイマー１０８１は吸引回復動作の実行をトリガーと計時をスタートする。すなわち、タイマー１０８１は、前回吸引回復動作を行なった時点からの経過時間を計時することができる。本実施形態では前回の回復動作からの経過時間が７２時間以上経過した後に、再度、インクカートリッジ１が起動されると、新たに回復ユニット６４を駆動する。ステップＳ１１０２において、ここでこのタイマー値が７２時間以上を計時している場合には、ステップＳ１１０３に進む。一方、タイマー値が７２時間未満を計時していると判定された場合には、回復動作をスキップしてステップＳ１１０５に進む。このように、タイマー値が７２時間未満のときに回復処理をスキップするのは、７２時間以内に少なくとも一度以上回復処理を実行すれば記録ヘッド６５の記録性能を維持できるからである。７２時間は最短回復周期とも呼べるかもしれない。但し、７２時間は単なる例示であり、インクの性質やノズルの直径などに依存して適宜変更されるものであることは理解されなければならない。
【００６０】
ステップＳ１１０３において、制御部１０１は、今回の起動は記録モードであるため、回復ユニット６４を制御しインクカートリッジ１の回復動作を実行させる。
【００６１】
ステップＳ１１０４において、制御部１０１は、タイマー１０８１をリセットする。なお、後述する回復動作の保留回数のカウント値もリセットする。
【００６２】
ステップＳ１１０５において、制御部１０１は、駆動切替手段５２を記録モードに切り替えて搬送モータの駆動を記録紙搬送に設定し、イニシャル動作を終了する。
一方、ステップＳ１１０１で、記録モードではないと判定された場合、すなわち、原稿読取モードであると判定された場合には、ステップＳ１１０６に進む。
【００６３】
ステップＳ１１０６において、制御部１０１は、現在の吸引回復動作の保留回数を取得し、所定回数（例：３回など）を超えているか判定する。すなわち、制御部１０１は、回復動作の連続保留回数をワークエリアとして使用しているＤＲＡＭ１０３に設けられたカウンタにより計数を実行し、そのカウンタ値を読み出すことで保留回数を取得できる。
【００６４】
基本的に、原稿読取モード時にはインクカートリッジ１の回復動作を保留するようにしているが、その保留回数が規定値を超えた場合には原稿読み取り時であってもインクカートリッジ１の回復動作を行なう。これは、回復動作が非適当に長い期間にわたって保留されてしまうことを防止すること、すなわち、記録ヘッドの記録性能を適切に維持することを目的としている。なお、所定保留回数を３回しているがこれは例示であり、インクの性質やノズルの直径などに依存して適宜設計変更されるものであることは理解されなければならない。ステップＳ１１０６で連続保留回数が３回を超えていなければステップＳ１１０７に進む。連続保留回数が３回を超えている場合にはステップＳ１１０９に進む。
【００６５】
ステップＳ１１０７において、記録部１０８のタイマーのカウント値が７２時間を経過しているかどうかを調べる。ここで７２時間をこえていれば、ステップＳ１１０８に進む。超えていなければステップＳ１１１１に進む。
【００６６】
ステップＳ１１０８において、前述の連続保留回数をカウントしているＤＲＡＭ１０３内のカウンタをインクリメントする。そしてここではインクカートリッジ１の回復動作を行なわずにステップＳ１１１１に進む。
【００６７】
ステップＳ１１０９において、原稿読み取りのための起動であっても回復ユニット６４を駆動することによりインクカートリッジ１の回復動作を行なう。
【００６８】
ステップＳ１１１０に進み記録部１０８のタイマーと回復保留回数をカウントしているカウンタをリセットする。
【００６９】
ステップＳ１１１１において、インクカートリッジ１を駆動することにより、駆動切替手段５２を読取モードに切り替えて搬送モータの駆動を原稿搬送に切り替える。以上のようにイニシャル動作を終了する。
【００７０】
本実施形態によれば、記録ヘッド６５が、記録処理への移行の際と読取処理への移行の際に起動される場合において、とりわけ読取処理への移行の際には回復ユニット６４の実行を適宜制限することにより、回復処理に伴うインクの消費量を削減することができる。  すなわち、原稿の読取処理と画像の記録処理とを実行する画像読取記録装置（例：ファクシミリ装置１００）であって、記録処理への移行の際と読取処理への移行の際に起動される記録ヘッド６５と、記録ヘッド６５の記録性能を維持するための維持処理（例：吸引、吐出又は掃引）を前回実行した時から所定時間が経過した後に、記録ヘッド６５が記録処理の実行のために起動された場合には維持処理を実行し、一方、読取処理のために記録ヘッド６５が起動された場合には維持処理を保留する維持手段（例：制御部１１０、回復ユニット６４）とを含む画象読取記録装置が提供される。
【００７１】
なお、このように記録ヘッドの回復処理を保留した場合には、インクの消費量を低減することができるが、その一方で、余りにも長時間にわたって保留状態が続くと目詰まり等の不具合が発生してしまうかもしれない。よって、記録ヘッドの回復処理を保留した場合にも、吐出不良が生じないような適切なタイミングでもって回復処理を実行することが望ましいといえる。
【００７２】
例えば、回復処理の保留が発生した後、最初に記録処理が実行されるときに、回復処理を行なうようにしてもよい。あるいは、予め定められた回数又は時間を超えて回復処理が保留された場合には、回復処理を実行するようにしてもよい。これらの場合において、原稿読取処理に伴って記録ヘッドが起動される場合であっても回復処理を実行するようにしてもよい。要するに、記録ヘッドの記録性能を維持できるようなタイミングで持って回復処理を実行すればよいのである。
【００７３】
すなわち、  維持手段（例：制御部１１０、回復ユニット６４）は、維持処理が所定回数以上（例：少なくとも一度）保留されているときに記録ヘッド６５が記録処理の実行のために起動された場合には、維持処理を実行する。維持処理の連続保留回数はカウンタ１０８１によりカウントすればよいだろう。
【００７４】
［実施形態２］
図１２は第２の実施形態に係るフローチャートである。第２の実施形態では、経過時間の閾値を記録モードと読取モードとで異ならしめたものである。すなわち、記録ヘッド６５が記録処理の実行のために起動されたときは、タイマー値がすでに第１の時間（例：３６ｈ）を超えていることを条件として回復手段ユニット６４を動作させる。一方、原稿読取処理のために記録ヘッド６５が起動されたときは、タイマー値がすでに第１の時間よりも長い第２の時間（例６４ｈ）を超えていることを条件として回復ユニット６４を動作させるようにしている。
【００７５】
ステップＳ１２０１において、制御部１０１は、記録モードが呼び出されたかどうかを判定する。記録モードであると判定されると、ステップＳ１２０２へ移行し、読取モードの場合はＳ１２０６に移行する。
【００７６】
ステップＳ１２０２において、制御部１０１はタイマー１０８１のカウント値を読み出し、読み出されたカウント値が記録モード用の所定時間（例：３６時間など）を超えているかどうかを判定する。タイマー値が３６時間以上を計時している場合には、ステップＳ１２０３に進む。一方、タイマー値が３６時間未満を計時していると判定された場合には、回復動作をスキップしてステップＳ１２０５に進む。このように、タイマー値が３６時間未満のときに回復処理をスキップすることで、インクの消費量を節約できる。なお、３６時間は単なる例示であり、機種ごとに適切な値を設定すればよい。
【００７７】
ステップＳ１２０３において、制御部１０１は、回復ユニット６４に回復処理を実行させる。
【００７８】
ステップＳ１２０４において、制御部１０１は、タイマー１０８１をリセットする。
【００７９】
ステップＳ１２０５において、制御部１０１は、記録モードか否かの判定結果（Ｓ１２０１）に従って駆動切替手段５２を制御し、イニシャル動作を終了する。
読取モードと判定された場合には、ステップＳ１２０６において、制御部１０１は、制御部１０１はタイマー１０８１のカウント値を読み出し、カウント値が読取モード用の所定時間（例：７２時間など）を超えているかどうかを判定する。タイマー値が７２時間以上を計時している場合には、ステップＳ１２０３に進む。一方、タイマー値が７２時間未満を計時していると判定された場合には、回復処理をスキップしてステップＳ１２０５に進む。このように、タイマー値が７２時間未満のときに回復処理をスキップすることで、インクの消費量を節約できる。なお、７２時間は単なる例示であり、機種ごとに適切な値を設定すればよい。
【００８０】
本実施形態においては、経過時間の判定に使用する読取モード用の第１の閾値を記録モード用の第２の閾値よりも長めに設定することにより、回復処理に伴うインクの消費量を節約したものである。
【００８１】
すなわち、原稿の読取処理と画像の記録処理とを実行する画像読取記録装置であって、少なくとも記録処理への移行の際と読取処理への移行の際に起動される記録ヘッド６５と、記録ヘッドからインクを吸引、吐出又は掃引させて回復処理を実行する回復手段（例：回復ユニット６４）と、回復処理の前回の実行時からの経過時間を計時する計時手段（タイマー１０８１）と、記録ヘッド６５が記録処理の実行のために起動されたときは、経過時間がすでに第１の時間を超えていることを条件として回復手段を動作させ、一方、原稿読取処理のために記録ヘッド６５が起動されたときは、経過時間がすでに第１の時間よりも長い第２の時間を超えていることを条件として回復手段を動作させる回復制御手段例：制御部１１０）とを備える画像読取記録装置が提供される。
【００８２】
要するに、読取モードが選択されているときは記録ヘッドを使用頻度が相対的に低いため、回復ユニットの作動インターバルを相対的に長くし、回復処理の回数を低減するようにしている。なお、不適切に長く回復処理が保留されると記録ヘッドの記録性能を維持するのが困難になるため、読取モードであっても第２の閾値を超えた場合には回復処理を実行するようにした。
【００８３】
［実施形態３］
図１３は第３の実施形態に係るフローチャートである。本実施形態では、回復処理について通常モードと節約モードとを設け、ユーザーのカスタマイズの幅を広げたものである。
【００８４】
すなわち、前回の維持処理から所定時間経過後に記録ヘッド６５が起動時されると新たな維持処理を実行する通常モードと、所定時間経過後であっても記録ヘッド６５が読取処理ために起動されたときには維持処理を少なくとも一度はスキップする節約モードとを備え、これらをユーザーの好みに応じて切り替えるようにしたものである。
【００８５】
ステップＳ１３０１において、制御部１０１はタイマー１０８１のカウント値を読み出し、読み出されたカウント値が所定時間（例：７２時間など）を超えているかどうかを判定する。タイマー値が７２時間以上を計時している場合には、ステップＳ１３０２へ進む。そうでなければ、回復動作をスキップしてステップＳ１３０６に進む。このように、タイマー値が７２時間未満のときに回復処理をスキップすることで、インクの消費量を節約できる。
【００８６】
ステップＳ１３０２において、制御部１０１は、節約モードに設定されているか否かを判定する。本実施形態では、予め操作部１１０をユーザーが操作することにより、節約モードか通常モードかが設定されているものとする。設定情報はＳＲＡＭ１０４に保持されているものとする節約モードの場合はステップＳ１３０３に進み、通常モードの場合はステップＳ１３０４に進む。
【００８７】
ステップＳ１３０３において、制御部１０１は、記録モードが起動されたのか否かを判定する。記録モードの場合はＳ１３０４に進み、読取モードの場合はＳ１３０７に進む。
【００８８】
ステップＳ１３０４において、制御部１０１は、回復ユニット６４に回復処理を実行させる。
【００８９】
ステップＳ１３０５において、制御部１０１は、タイマー１０８１をリセットする。
【００９０】
ステップＳ１３０６において、制御部１０１は、記録モードか否かの判定結果に従って駆動切替手段５２を制御し、イニシャル動作を終了する。
ステップＳ１３０７において、制御部１０１は、回復処理の連続保留回数を取得し、所定回数（例：３回など）を超えているか判定する。読取モードの際には毎回回復ユニットを動作させる必要性は低いため、所定回数は保留することでインクの消費量を節約できる。判定の結果、超えていればステップＳ１３０４に進み、そうでなければステップＳ１３０８へと進む。
【００９１】
ステップＳ１３０８において、連続保留回数をカウントしているカウンタをインクリメントする。そしてここでは回復処理を保留してステップＳ１３０６に進む。
【００９２】
以上のように本実施形態では、回復ユニットの動作モードを複数設けることにより、ユーザーの好みを回復処理に反映させることができる。
【００９３】
すなわち、原稿の読取処理と画像の記録処理とを実行する画像読取記録装置（例：ファクシミリ装置１００）であって、記録処理への移行の際と読取処理への移行の際に起動される記録ヘッド６５と、記録ヘッド６５の記録性能を維持するための維持処理を実行する維持手段（例：回復ユニット６４）と、前回の維持処理から所定時間経過後に記録ヘッド６５が起動時されると新たな維持処理を実行する通常モードと、所定時間経過後であっても記録ヘッド６５が読取処理ために起動されたときには維持処理を少なくとも一度はスキップする節約モードとを有し、選択されたモードに従って前記維持処理の実行を制御する制御手段（例：制御部１１０）とを備えた画像読取記録装置が提供される。
【００９４】
例えば、装置の劣化してくると、回復処理の実行頻度を増やした方が記録ヘッド６５の記録性能を維持しやすくなる場合がある。そのような場合には、通常モードをユーザーが選択するメリットがあるだろう。
【００９５】
なお、通常モードの内容や節約モードの内容は上述以外のものであってもよい。例えば節約モードの場合には、実施形態１又は実施形態２が実施されるようになっていてもよい。あるいは、通常モードには実施形態１又は実施形態２であってタイマーの閾値を短くしたり保留回数を少なめにしたものを採用し、節約モードでは、実施形態１又は実施形態２であってタイマーの閾値を相対的に長くしたり保留回数を多めにしたものを採用してもよい。いずれであっても、節約モードの方が通常モードよりもインクの消費量が少ないことには変わりがない。
【００９６】
［他の実施形態］
上述の実施形態においては、読取処理のために記録ヘッドが起動された場合には少なくとも１度は回復処理を保留するものであった。しかしながら、上述の保留処理に代えて禁止処理を採用してもよい。禁止処理とは、原稿読取処理ために記録ヘッドが起動されるときは回復処理を完全に禁止することを意味する。より具体的には、記録モードへの切り替え処理ではない（すなわち読取処理である）と判定された場合に（Ｓ１１０１、Ｓ１２０１やＳ１３０３それぞれの判定結果がＮの場合に）、即座にモードの切り替えのステップ（Ｓ１１１１、Ｓ１２０５やＳ１３０６）へとジャンプするように制御すればよいのである。
【００９７】
また上述の実施例においては、読取処理のために記録ヘッドが起動された場合には記録ヘッドから記録用インクを吸引、吐出又は記録ヘッドを掃引させる回復処理を保留、あるいは禁止するものであったが，この回復処理のうちの一部、例えば吸引処理のみを保留、あるいは禁止するようにして、他の回復処理は読取処理の場合、記録処理の場合を問わずに記録ヘッド起動時には行うように制御しても良い。すなわちどれか少なくとも一つの回復処理について保留あるいは禁止すれば、インクの消費量を低減できることはいうまでもない。
【００９８】
上述の実施形態におけるタイマーの閾値や保留回数は固定のものであったが、もちろん可変にしてもよい。例えば、ユーザーが操作部１１０を操作して値を変更できるようにしてもよい。あるいは、装置の経年変化や使用年数に応じて動的に値が変更されるものであってもよい。あるいは、新規なインクが開発された場合には、そのインクの特性に応じて上記の値を変更するようにしてもよい。その場合の適性値はインクのカートリッジ１の表面に表示すれば、ユーザーは容易に適切な値を設定できよう。適切な値を格納するための保持手段をカートリッジ１に搭載しておき、ファクシミリ装置側の読取手段によりその値を読み取れるようにしておいてもよい。
【００９９】
本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０１００】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。
【０１０１】
この場合、記憶媒体から読み出されたプログラムコード自体が前述した実施形態の機能を実現することになり、そのプログラムコードを記憶した記憶媒体は本発明を構成することになる。
【０１０２】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１０３】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１０４】
本発明を上記記憶媒体に適用する場合、その記憶媒体には、先に説明した図１１乃至図１３の何れか１つに示すフローチャート又はこれらの変形例に対応するプログラムコードが格納されることになろう。これらのプログラムコードは、例えば、アップデート可能なファームウエアとしても提供可能である。
【０１０５】
【発明の効果】
本発明によれば、記録紙搬送に用いている搬送機構を原稿搬送機構としても兼用するインクジェット方式の画像読取記録装置において、記録ヘッド６５の回復処理が実行されるとタイマーによる計時を開始し、前回の回復処理の実行時から所定時間後に記録ヘッド６５が起動された場合に、それが記録処理のための起動であれば回復処理を実行し、読取処理のための起動であれば回復処理を保留するようにしたので、原稿搬送時に実行される回復処理の回数を低減され、その結果、記録ヘッド内のインクの消費量を節約できる。
【０１０６】
また、この保留回数が所定回数を超えた場合には読取処理のための起動であっても回復処理を実行したので、インクの消費量を低減しつつも必要な回復処理は実行することができる。
【図面の簡単な説明】
【図１】図１は記録処理時における本実施形態に係る装置の断面図である。
【図２】図２は記録処理時における本実施形態に係る装置の斜視図である。
【図３】図３は原稿読取処理時における本装置の断面図を示している。
【図４】図４は原稿読取処理時における本装置の斜視図を示している。
【図５】図５は記録給紙部および原稿給紙部についての斜視図である。
【図６】図６は記録処理を実行している際の本実施形態に係る装置の斜視図である。
【図７】図７はインクカートリッジの着脱を示した図である。
【図８】図８は第１のポジションに位置する白基準２５を例示した図である。
【図９】図９は第２のポジションに位置する白基準２５を例示した図である。
【図１０】図１０は実施形態に係るファクシミリ装置１００のブロック図である。
【図１１】図１１は第１の実施形態に係るファクシミリ装置の動作に関するフローチャートである。
【図１２】図１２は第２の実施形態に係るフローチャートである。
【図１３】図１３は第３の実施形態に係るフローチャートである。
【符号の説明】
１…カ−トリッジ
２…記録紙
３…プラテン
４…キャリッジ
１２…原稿
２２…コンタクトセンサ
２６…ＣＳホルダ
５２…駆動切替手段
１００…ファクシミリ本体
１０１…制御部
１０２…ＲＯＭ
１０３…ＤＲＡＭ
１０４…ＳＲＡＭ
１０５…画像読み取り部
１０６…記録画像処理部
１０７…ファクシミリ送受信部
１０８…記録部
１０９…画像符号復号化部
１１０…操作部
１１１…電源供給部
１１２…システムバス
【図１】
2004209820.tif 000003
【図２】
2004209820.tif 000004
【図３】
2004209820.tif 000005
【図４】
2004209820.tif 000006
【図５】
2004209820.tif 000007
【図６】
2004209820.tif 000008
【図７】
2004209820.tif 000009
【図８】
2004209820.tif 000010
【図９】
2004209820.tif 000011
【図１０】
2004209820.tif 000012
【図１１】
2004209820.tif 000013
【図１２】
2004209820.tif 000014
【図１３】
2004209820.tif 000015